(57)【要約】【課題】各種電子機器の操作部に用いられるプッシュオンスイッチに関し、方向性が容易に識別可能なプッシュオンスイッチを提供する。【解決手段】スイッチケースの左側面１Ａに、中央固定接点２および外側固定接点３から延設された左側端子２Ｂおよび３Ｂが一対となり、同様に対向する右側面１Ｂに、中央固定接点２および外側固定接点３から延設された右側端子２Ｃと３Ｃが一対となって設けられており、中央固定接点２から延設された左側端子２Ｂと右側端子２Ｃが、外側固定接点３から延設された左側端子３Ｂと右側端子３Ｃよりそれぞれ上面視延設方向長さを長く、その差が、それぞれ０．１５ｍｍのものに構成した。【選択図】図１
2008287905.tif 000002
【特許請求の範囲】
【請求項１】
上面開口の箱形のスイッチケースの開口部内底面に固定接点が配設され、前記固定接点から前記スイッチケースの側面外方へ複数の端子が延設され、上面視で、スイッチ中心に点対称または線対称な形状をしたプッシュオンスイッチにおいて、前記スイッチケースの複数の前記端子のうち、少なくとも１つの前記端子の上面視延設方向長さが異なることを特徴とするプッシュオンスイッチ。
【請求項２】
前記スイッチケースの側面に一対毎で設けられた２つの前記端子の間で、上面視延設方向長さが異なることを特徴とする請求項１記載のプッシュオンスイッチ。
【請求項３】
複数の前記端子の上面視延設方向長さの最大値と最小値の差が０．１５ｍｍ以上であることを特徴とする請求項１または２に記載のプッシュオンスイッチ。
【発明の詳細な説明】
【技術分野】
【０００１】
本発明は、各種電子機器の操作部などに用いられるプッシュオンスイッチに関するものである。
【背景技術】
【０００２】
従来のプッシュオンスイッチについて、図６〜図８を用いて説明する。図６は従来のプッシュオンスイッチの平面図、図７は同正面断面図、図８は同分解斜視図を示す。
【０００３】
同図において、１は上面開口の箱形に形成された絶縁樹脂製のスイッチケースであり、開口部の内底面には中央に金属製の中央固定接点２が設けられ、その中央固定接点２を挟んだ位置に金属製の外側固定接点３が二箇所設けられている。
【０００４】
中央固定接点２および外側固定接点３からのそれぞれの延設部分は、スイッチケース１の対向する外側面である左側面１Ａと右側面１Ｂからそれぞれ外方に一対毎に導出されて、外部接続用の端子２Ａおよび３Ａとして形成されている。４は、二箇所の外側固定接点３上に載置された中央部が上方に膨出したドーム状に形成された弾性金属製の可動接点である。そして、スイッチケース１の開口部は絶縁性のカバーシート５で覆われてプッシュオンスイッチに構成されており、当該構成のものは、上面視でプッシュオンスイッチの中心点に点対称であり、かつ線対称の形状で構成されている。
【０００５】
次に、以上のように構成されたプッシュオンスイッチの動作を説明する。
【０００６】
まず、カバーシート５を介してドーム状の可動接点４の中央部を押し下げると、可動接点４のドーム状部分が節度感を伴って下方に膨らんだ形状に反転し、可動接点４の中央部下面が中央固定接点２に接触する。このとき可動接点４を介して外側固定接点３と中央固定接点２との間が導通したスイッチオン状態となる。
【０００７】
次に、前記の押下力を除くと、可動接点４が自己復元力により節度感を伴って元の上方に膨らんだ形状に戻り、可動接点４の中央部下面が中央固定接点２から離れることにより、外側固定接点３と中央固定接点２との間が電気的に分離したスイッチオフ状態となるものであった。
【０００８】
なお、この出願の発明に関連する先行技術文献情報としては、例えば、特許文献１、特許文献２が知られている。
【特許文献１】特開昭６０−２３０３１６号公報
【特許文献２】特開２００６−２３６８０５号公報
【発明の開示】
【発明が解決しようとする課題】
【０００９】
しかしながら前記従来のプッシュオンスイッチにおいては、操作時に、指等からの静電気によって、回路への誤信号入力となったり、回路内の電子部品を破壊したりすることを防ぐため、使用される電子機器の配線基板に対し、可動接点４と電気的に常接している外側固定接点３からの端子３Ａをマイナス極（アース側）に接続されて用いられることから、プッシュオンスイッチは外観で方向性を識別できる手段を施さなければならなかった。
【００１０】
外観で方向性を識別できる方法として、特開昭６０−２３０３１６号公報に開示されたもののように、アース端子を新たに設けることにより方向性は明らかにできるものの、アース端子を設けるために、新たな部材を用いたり、その加工や組み立てを行うための設備を要したりする必要があるため、コストアップするという課題があった。
【００１１】
一方、特開２００６−２３６８０５号公報に開示されたもののように、カバーシートに導電体を設けることで、外観で方向性を見分けることも可能であるが、このものも前述したものと同様に、導電体を設けるための部材、設備を要する方法であり、さらに、小型化が進むプッシュオンスイッチに対して導電体を設けることが困難になるという課題があった。
【００１２】
本発明は、このような従来の課題を解決するものであり、新たな部材を用いることなく外観から方向性を識別可能なプッシュオンスイッチを提供することを目的とする。
【課題を解決するための手段】
【００１３】
前記目的を達成するために本発明は、以下の構成を有するものである。
【００１４】
本発明の請求項１に記載の発明は、上面開口の箱形のスイッチケースの開口部内底面に固定接点が配設され、前記固定接点から前記スイッチケースの側面外方へ複数の端子が延設され、上面視で、スイッチ中心に点対称または線対称な形状をしたプッシュオンスイッチにおいて、前記スイッチケースの複数の前記端子のうち、少なくとも１つの前記端子の上面視延設方向長さが異なることを特徴とするプッシュオンスイッチとしたものであり、新たな部材や設備を必要としないで、外観から方向性を識別可能なプッシュオンスイッチを提供することができるという作用を有する。
【００１５】
本発明の請求項２に記載の発明は、請求項１記載の発明において、前記スイッチケースの側面に一対毎で設けられた２つの前記端子の間で、上面視延設方向長さが異なるものであり、隣接する端子どうしで比較できるので、その差異が容易に識別でき、プッシュオンスイッチの方向を容易に識別できるという作用を有する。
【００１６】
本発明の請求項３に記載の発明は、請求項１または２に記載の発明において、複数の前記端子の上面視延設方向長さの差が０．１５ｍｍ以上であるものであり、汎用的な検視カメラによって、端子の延設方向長さの差異が識別できるので、プッシュオンスイッチの方向性を自動識別可能となり、生産ライン内に方向性の識別検査工程を組み込んだ効率的な生産が可能であるという作用を有する。
【発明の効果】
【００１７】
以上のように本発明によれば、新たな部材等を用いる必要がなく、外観から容易にその方向性を明らかに識別できるプッシュオンスイッチを提供することができるという有利な効果が得られる。
【発明を実施するための最良の形態】
【００１８】
以下、本発明の実施の形態について、図１〜図５を用いて説明する。
【００１９】
なお、従来の技術の項で説明した構成と同一構成の部分には同一符号を付して、詳細な説明を簡略化する。
【００２０】
（実施の形態）
図１は、本発明の一実施の形態によるプッシュオンスイッチの平面図、図２は、同正面図である。
【００２１】
同図において、上面開口の箱形に形成された底面積が１６ｍｍ2である絶縁樹脂製のスイッチケース１の図示しない開口部内底面には、中央に金属製の図示しない中央固定接点２と、その中央固定接点２を挟んだ金属製の図示しない外側固定接点３が設けられている。中央固定接点２および外側固定接点３からのそれぞれの延設部分は、スイッチケース１の対向する外側面である左側面１Ａと右側面１Ｂからそれぞれ外方に一対毎で導出され、それぞれ上方に向けて折り曲げ加工されて、外部接続用の端子２Ａおよび３Ａとして形成されている。
【００２２】
そして、スイッチケース１の開口部内に図示しない可動接点４が収容され、その開口部が絶縁性のカバーシート５で覆われてプッシュオンスイッチが構成されている。
【００２３】
端子２Ａは中央固定接点２に繋がり、図１の紙面上側の左右側面に延設された左側端子２Ｂと右側端子２Ｃからなり、また端子３Ａは外側固定接点３に繋がり、同様に図１の紙面下側の左右側面に延設された左側端子３Ｂと右側端子３Ｃからなっている。
【００２４】
そして、上面視で、端子２Ｂ、２Ｃ、３Ｂ、３Ｃの上面視延設方向長さをそれぞれＬ２Ｂ、Ｌ２Ｃ、Ｌ３Ｂ、Ｌ３Ｃとしたとき、Ｌ２Ｂ、Ｌ２Ｃ、Ｌ３Ｂ、Ｌ３Ｃは以下の関係を満たしている。
【００２５】
Ｌ２Ｂ−Ｌ３Ｂ＝０．１５ｍｍ、Ｌ２Ｂ＝Ｌ２Ｃ、Ｌ３Ｂ＝Ｌ３Ｃ
つまり、スイッチケース１の左側面１Ａに、中央固定接点２および外側固定接点３から延設された左側端子２Ｂおよび３Ｂが一対となり、同様に対向する右側面１Ｂに、中央固定接点２および外側固定接点３から延設された右側端子２Ｃと３Ｃが一対となって設けられている。
【００２６】
そして、上面視で、中央固定接点２から延設された左側端子２Ｂと右側端子２Ｃが、外側固定接点３から延設された左側端子３Ｂと右側端子３Ｃよりそれぞれ長く、その差は、それぞれ０．１５ｍｍとなっている。
【００２７】
このスイッチケース１の左側面１Ａに一対となって延出された左側端子２Ｂと３Ｂは、近接して並んで設けられているので、上面視延出長さの違いが肉眼でも識別可能である。また、スイッチケース１の右側面１Ｂに一対となって延出された右側端子２Ｃと３Ｃの上面視延出方向長さの違いも、同様に肉眼で識別可能である。
【００２８】
この上面視延出方向長さの差０．１５ｍｍは、図２に示すように、スイッチケース１から延出された端子の上方への折り曲げ角度の違いによって得られるようになされている。
【００２９】
つまり、四つの端子２Ｂ，２Ｃ，３Ｂ，３Ｃそれぞれは、上方に向けて折り曲げ加工される前において、スイッチケース１側面から先端までの長さは同じ長さになされているが、中央固定接点２から延設された端子２Ｂ，２Ｃのスイッチケース１側面からの上方への折り曲げ角度を外側固定接点３から延設された端子３Ｂ，３Ｃの折り曲げ角度より緩やかな折り曲げにすることによって、上面視延設方向長さの差を持つものとしている。
【００３０】
以上のように、本実施の形態によれば、新たな部材を用いることなく折り曲げ角度の違いによって、中央固定接点２から延設された端子２Ｂ，２Ｃと外側固定接点３から延設された端子３Ｂ，３Ｃとの上面視延設方向長さを変えているので、容易に外観で方向性を識別可能なプッシュオンスイッチを提供することができる。
【００３１】
この端子の上面視延設方向長さの差を０．１５ｍｍとしたが、０．１５ｍｍ以上の差があれば、自動検出のために汎用的に使用される検視カメラであっても、プッシュオンスイッチの方向性が識別でき、組み立ての自動化と併せて、方向性を揃えるための識別検査を組み立て工程に連続した工程とする自動化も可能である。
【００３２】
なお、端子の上面視延設方向長さを変える手段としては、本実施の形態で説明したように、４つの端子２Ｂ，２Ｃ，３Ｂ，３Ｃの折り曲げ前の長さは同じで、折り曲げ角度だけを変える方法や、４つの端子２Ｂ，２Ｃ，３Ｂ，３Ｃの折り曲げ角度は同じで折り曲げ前の長さだけを変える方法や、４つの端子２Ｂ，２Ｃ，３Ｂ，３Ｃの折り曲げ前の長さと折り曲げ角度を共に変える方法などがあり、生産上、設備上その他の都合に合わせて好適なものを採用すれば良い。
【００３３】
さらに、前記の実施の形態では、４つの端子２Ｂ，２Ｃ，３Ｂ，３Ｃの内で上面視延設方向長さが異なる端子が２本の場合を示したが、本発明はこれに限定されるものではない。図３〜図５にその他の形態を示す。図３は、上面視延設方向長さが異なる端子が１つであって、その１つの右側端子３Ｃのみが長い場合、図４は、上面視延設方向長さが異なる端子が２つであるが、スイッチケース１の一側面の一対の端子どうしの上面視延設方向長さが同じで、左側面１Ａ側の左側端子２Ｂ、３Ｂが右側面１Ｂ側の右側端子２Ｃ、３Ｃよりも長いものとした場合、図５は、上面視延設方向長さが異なる端子が１つであって、その１つの右側端子３Ｃのみが短い場合などであっても良い。
【００３４】
なお、図３〜図５に示した各形態においては、使用される電子機器の配線基板にはんだ付けされる場合に、左側面１Ａ側と右側面１Ｂ側との間に溶融はんだの吸い込み力の差が僅かであるが生じるため、その観点からすると、プッシュオンスイッチをはんだ付けする際に左右のバランスの良い前述の図１および図２に示した実施形態が好ましい。
【００３５】
また、前記の実施の形態では、スイッチケースの底面積が１６ｍｍ2の場合を示したが、本発明は、端子の上面視延設方向長さを基準に方向性を検出可能とするもののため、それのみに限定されず、現在主流となりつつある１６ｍｍ2以下の小型化されたものにおいても容易に適用できる。
【産業上の利用可能性】
【００３６】
本発明によるプッシュオンスイッチは、新たな部材を用いることなく外観から方向性を識別可能なものにできるという特徴を有し、各種電子機器の操作部を構成する際等に有用である。
【図面の簡単な説明】
【００３７】
【図１】本発明の一実施の形態によるプッシュオンスイッチの平面図
【図２】同正面図
【図３】端子の上面視延設方向長さの異なる他の組み合わせ形態を示す平面図
【図４】端子の上面視延設方向長さの異なる他の組み合わせ形態を示す平面図
【図５】端子の上面視延設方向長さの異なる他の組み合わせ形態を示す平面図
【図６】従来のプッシュオンスイッチの平面図
【図７】同正面断面図
【図８】同分解斜視図
【符号の説明】
【００３８】
１  スイッチケース
１Ａ  左側面
１Ｂ  右側面
２  中央固定接点
２Ａ、３Ａ  端子
２Ｂ、３Ｂ  左側端子
２Ｃ、３Ｃ  右側端子
３  外観固定接点
４  可動接点
５  カバーシート
【図１】
2008287905.tif 000003
【図２】
2008287905.tif 000004
【図３】
2008287905.tif 000005
【図４】
2008287905.tif 000006
【図５】
2008287905.tif 000007
【図６】
2008287905.tif 000008
【図７】
2008287905.tif 000009
【図８】
2008287905.tif 000010